(57)【特許請求の範囲】
【請求項１】
無線通信システムにおいて、ダウンリンク・サブフレームとアップリンク・サブフレームとの関連付けを定義する方法であって、
アップリンク・サブフレーム内のサブフレーム・アクノレッジメントを、複数のダウンリンク・サブフレームに関連付けるフィードバック関連付けを決定することと、
前記複数のダウンリンク・サブフレームのうちの少なくとも１つのダウンリンク・サブフレームが、前記サブフレーム・アクノレッジメントに影響を与えることを阻止するように前記フィードバック関連付けを修正することと、
を備え、
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、
方法。
【請求項２】
前記サブフレーム・アクノレッジメントは、前記複数のダウンリンク・サブフレームが正しく受信されたかを示すバイナリ・アクノレッジメントを備える、請求項１に記載の方法。
【請求項３】
前記ダウンリンク・サブフレームを受信することと、
前記フィードバック関連付けに基づいて前記サブフレーム・アクノレッジメントを生成することと、
前記フィードバック関連付けに基づいて、前記アップリンク・サブフレームでアクノレッジメントを送信することと、
をさらに備える請求項１に記載の方法。
【請求項４】
前記フィードバック関連付けは、少なくとも１つのサブフレーム・タイプが、前記サブフレーム・アクノレッジメントに影響を与えることを阻止する、請求項１に記載の方法。
【請求項５】
前記複数のダウンリンク・サブフレームは、異なるキャリアからのものである、請求項１に記載の方法。
【請求項６】
前記少なくとも１つのダウンリンク・サブフレームを示す信号を、対応するフィードバック無しでユーザ機器が受信する、請求項１に記載の方法。
【請求項７】
無線通信システムにおいて動作可能な装置であって、
アップリンク・サブフレーム内のサブフレーム・アクノレッジメントを、複数のダウンリンク・サブフレームに関連付けるフィードバック関連付けを決定する手段と、
前記複数のダウンリンク・サブフレームからの少なくとも１つのダウンリンク・サブフレームが、前記サブフレーム・アクノレッジメントに影響を与えることを阻止するように前記フィードバック関連付けを修正する手段と、
を備え、
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、
装置。
【請求項８】
前記サブフレーム・アクノレッジメントは、前記複数のダウンリンク・サブフレームが正しく受信されたかを示すバイナリ・アクノレッジメントである、請求項７に記載の装置。
【請求項９】
前記ダウンリンク・サブフレームを受信する手段と、
前記フィードバック関連付けに基づいて前記サブフレーム・アクノレッジメントを生成する手段と、
前記フィードバック関連付けに基づいて、前記アップリンク・サブフレームでアクノレッジメントを送信する手段と、
をさらに備える請求項７に記載の装置。
【請求項１０】
前記少なくとも１つのダウンリンク・サブフレームを示す信号を、対応するフィードバック無しでユーザ機器が受信する、請求項７に記載の装置。
【請求項１１】
無線ネットワークにおける無線通信のためのコンピュータ・プログラム製品であって、
記録されたプログラム・コードを有するコンピュータ読取可能な媒体を備え、
前記プログラム・コードは、
アップリンク・サブフレーム内のサブフレーム・アクノレッジメントを、複数のダウンリンク・サブフレームに関連付けるフィードバック関連付けを決定するためのプログラム・コードと、
前記複数のダウンリンク・サブフレームのうちの少なくとも１つのダウンリンク・サブフレームが、前記サブフレーム・アクノレッジメントに影響を与えることを阻止するように前記フィードバック関連付けを修正するためのプログラム・コードと、
を備え、
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、
コンピュータ・プログラム製品。
【請求項１２】
前記サブフレーム・アクノレッジメントは、前記複数のダウンリンク・サブフレームが正しく受信されたかを示すバイナリ・アクノレッジメントである、請求項１１に記載のコンピュータ・プログラム製品。
【請求項１３】
ダウンリンク・サブフレームを受信するためのプログラム・コードと、
前記フィードバック関連付けに基づいて前記サブフレーム・アクノレッジメントを生成するためのプログラム・コードと、
前記フィードバック関連付けに基づいて、前記アップリンク・サブフレームでアクノレッジメントを送信するためのプログラム・コードと、
をさらに備える請求項１１に記載のコンピュータ・プログラム製品。
【請求項１４】
前記複数のダウンリンク・サブフレームは、異なるキャリアからのものである、請求項１１に記載のコンピュータ・プログラム製品。
【請求項１５】
前記少なくとも１つのダウンリンク・サブフレームを示す信号を、対応するフィードバック無しでユーザ機器が受信する、請求項１１に記載のコンピュータ・プログラム製品。
【請求項１６】
無線通信システムにおいて動作可能な装置であって、
少なくとも１つのプロセッサと、前記少なくとも１つのプロセッサに接続されたメモリとを備え、
前記少なくとも１つのプロセッサは、
アップリンク・サブフレーム内のサブフレーム・アクノレッジメントを、複数のダウンリンク・サブフレームに関連付けるフィードバック関連付けを決定し、
前記複数のダウンリンク・サブフレームからの少なくとも１つのダウンリンク・サブフレームが、前記サブフレーム・アクノレッジメントに影響を与えることを阻止するように前記フィードバック関連付けを修正する
ように構成され、
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、
装置。
【請求項１７】
前記サブフレーム・アクノレッジメントは、前記複数のダウンリンク・サブフレームが正しく受信されたかを示すバイナリ・アクノレッジメントである、請求項１６に記載の装置。
【請求項１８】
前記少なくとも１つのプロセッサはさらに、ダウンリンク・サブフレームを受信し、前記フィードバック関連付けに基づいて前記サブフレーム・アクノレッジメントを生成し、前記フィードバック関連付けに基づいて、前記アップリンク・サブフレームでアクノレッジメントを送信するように構成された、請求項１６に記載の装置。
【請求項１９】
前記フィードバック関連付けは、少なくとも１つのサブフレーム・タイプが、前記サブフレーム・アクノレッジメントに影響を与えることを阻止する、請求項１６に記載の装置。
【請求項２０】
前記複数のダウンリンク・サブフレームは、異なるキャリアからのものである、請求項１６に記載の装置。
【請求項２１】
前記少なくとも１つのダウンリンク・サブフレームを示す信号を、対応するフィードバック無しでユーザ機器が受信する、請求項１６に記載の装置。
【発明の詳細な説明】
【優先権主張】
【０００１】
本願は、２００９年１０月１４日に出願された米国仮特許出願６１／２５１，６６６号の利益を主張する。この開示は、全体が参照によって本明細書に明確に組み込まれている。
【技術分野】
【０００２】
本開示は、一般に、通信に関し、さらに詳しくは、無線通信ネットワークにおけるアクノレッジメントのために、等しくない数のダウンリンク・サブフレームとアップリンク・サブフレームとを関連付けることに関する。
【背景技術】
【０００３】
第３世代パートナシップ計画（３ＧＰＰ）ロング・ターム・イボリューション（ＬＴＥ）は、セルラ技術における主要な進歩を呈しており、グローバル移動体通信システム（ＧＳＭ（登録商標））およびユニバーサル・モバイル・テレコミュニケーション・システム（ＵＭＴＳ）の自然発展形として、セルラ３Ｇサービスにおいて先行する次のステップである。ＬＴＥは、最大で毎秒５０メガビット（Ｍｂｐｓ）のアップリンク速度と、最大で１００Ｍｂｐｓのダウンリンク速度とを提供し、セルラ・ネットワークに対して多くの技術的な利点をもたらす。ＬＴＥは、次の１０年間に向けての、高速データおよびメディア伝送のみならず、高キャパシティの音声サポートに関するキャリア・ニーズを満足するように設計されている。帯域幅は、１．２５ＭＨｚから２０ＭＨｚまでスケール可能である。これは、異なる帯域幅割当を有する異なるネットワーク・オペレータのニーズに適合し、これによって、オペレータは、スペクトルに基づいて異なるサービスを提供することが可能となる。ＬＴＥはまた、３Ｇネットワークにおけるスペクトル効率を高めることが期待されており、これによって、キャリアは、与えられた帯域幅で、より多くのデータ・サービスおよび音声サービスを提供することが可能となる。ＬＴＥは、高速データ・サービス、マルチメディア・ユニキャスト・サービス、およびマルチメディア・ブロードキャスト・サービスを含む。
【０００４】
ＬＴＥ物理レイヤ（ＰＨＹ）は、エンハンスト基地局（ｅノードＢ）とモバイル・ユーザ機器（ＵＥ）との間でデータおよび制御情報の両方を伝送する非常に効率的な手段である。ＬＴＥ  ＰＨＹは、セルラ・アプリケーションに対して新しいいくつかの先進技術を適用する。これらは、直交周波数分割多重（ＯＦＤＭ）および複数入力複数出力（ＭＩＭＯ）データ送信を含んでいる。さらに、ＬＴＥ  ＰＨＹは、ダウンリンク（ＤＬ）において直交周波数分割多元接続（ＯＦＤＭＡ）を用い、アップリンク（ＵＬ）においてシングル・キャリア周波数分割多元接続（ＳＣ−ＦＤＭＡ）を用いる。ＯＦＤＭＡによって、データが、指定された数のシンボル期間にわたって、サブキャリア毎ベースで、複数のユーザとの間で送られるようになる。
【０００５】
ＬＴＥアドバンストは、４Ｇサービスを提供するための発展中のモバイル通信規格である。３Ｇ技術として定義されているＬＴＥ  Ｒｅｌ−８は、例えば、最大で１ギガ・ビット／秒のピーク・データ・レートのように、インターナショナル・テレコミュニケーション・ユニオンによって定義されたＩＭＴアドバンストとも称される４Ｇのための要件を満足しない。ＬＴＥアドバンストはさらに、セル端部における向上されたパフォーマンスと電力状態とのより高速な切換を目的としている。
【発明の概要】
【０００６】
本願は、アクノレッジメント／否定的アクノレッジメント（ＡＣＫ／ＮＡＣＫ）フィードバックの効率を高めること、特に、ＡＣＫ／ＮＡＣＫバンドリングおよびＡＣＫ／ＮＡＣＫ多重化を改善するための方法、システム、および手段に関する。ＡＣＫ／ＮＡＣＫバンドリングでは、複数のダウンリンク・サブフレームが１つのアップリンク・サブフレームに組み合わされうる。このようにして、すべてのダウンリンク・サブフレームが正しく受信されると、バンドルされたダウンリンク・サブフレームについてＡＣＫ信号が送信されうる。反対に、１つのダウンリンク・サブフレームがアクノレッジされなくても、バンドルされたダウンサブフレームについてＮＡＣＫ信号が送信されうる。本願は、あるタイプのサブフレームを、ＡＣＫグループのサブフレームであるか、ＮＡＣＫグループのサブフレームであるかの判定への影響から考慮しないことによってこのメカニズムを改善し、もって、ＡＣＫ／ＮＡＣＫバンドリングおよびＡＣＫ／ＮＡＣＫ多重化を実行する場合に、ＡＣＫ／ＮＡＣＫフィードバックの効率を高める。
【０００７】
本開示の１つの態様では、無線通信システムにおいて、ダウンリンクとアップリンクとのサブフレーム関連付けを定義する方法が提供される。この方法は、アップリンク・サブフレーム内のサブフレーム・アクノレッジメントを、複数のダウンリンク・サブフレームに関連付けるフィードバック関連付けを決定することを含む。この方法はまた、複数のダウンリンク・サブフレームのうちの少なくとも１つのダウンリンク・サブフレームが、サブフレーム・アクノレッジメントに影響を与えることを阻止するようにフィードバック関連付けを修正することを含む。
【０００８】
本開示の別の態様では、無線通信システムにおいて動作可能な装置が提供される。この装置は、アップリンク・サブフレーム内のサブフレーム・アクノレッジメントを、複数のダウンリンク・サブフレームに関連付けるフィードバック関連付けを決定する手段を含む。この装置はまた、複数のダウンリンク・サブフレームのうちの少なくとも１つのダウンリンク・サブフレームが、サブフレーム・アクノレッジメントに影響を与えることを阻止するようにフィードバック関連付けを修正する手段を有する。
【０００９】
本開示のさらに別の態様では、無線通信のためのコンピュータ・プログラム製品が提供される。このコンピュータ・プログラム製品は、アップリンク・サブフレーム内のサブフレーム・アクノレッジメントを、複数のダウンリンク・サブフレームに関連付けるフィードバック関連付けを決定するためのプログラム・コードを有する。このコンピュータ・プログラム製品はまた、複数のダウンリンク・サブフレームのうちの少なくとも１つのダウンリンク・サブフレームが、サブフレーム・アクノレッジメントに影響を与えることを阻止するようにフィードバック関連付けを修正するためのプログラム・コードを有する。
【００１０】
本開示のさらなる態様では、無線通信システムにおいて動作可能な装置が提供される。この装置は、プロセッサ（単数または複数）と、プロセッサに接続されたメモリとを有する。このプロセッサ（単数または複数）は、アップリンク・サブフレーム内のサブフレーム・アクノレッジメントを、複数のダウンリンク・サブフレームに関連付けるフィードバック関連付けを決定するように構成される。このプロセッサ（単数または複数）はまた、複数のダウンリンク・サブフレームのうちの少なくとも１つのダウンリンク・サブフレームが、サブフレーム・アクノレッジメントに影響を与えることを阻止するようにフィードバック関連付けを修正するように構成される。
【００１１】
前述した目的および関連する目的を達成するために、１または複数の態様は、後に十分説明され、特許請求の範囲で特に指摘される特徴を有する。以下の記述および関連図面は、ある例示的な態様をより詳細に説明し、これら態様の原理が適用されるさまざまな方式のうちのほんの少数しか示さない。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００１２】
本開示の特徴、特性、および利点は、同一の参照符号が全体を通じて同一物に特定している図面とともに考慮された場合、以下に記載する詳細な記載からより明らかになるだろう。
【図１】図１は、ダウンリンク・サブフレームとアップリンク・サブフレームとが異なる数からなる場合に、ダウンリンク関連付けマッピングは、アップリンク／アクノレッジメント／否定的アクノレッジメント（ＡＣＫ／ＮＡＣＫ）の適切な関連付けのためサブフレームを考慮しない通信システムのブロック図を例示する。
【図２】図２は、イボルブド・ノードＢとユーザ機器とが図１のダウンリンク関連付けマッピングを利用するためのタイミング図を例示する。
【図２Ａ】図２Ａは、態様にしたがう通信システムのブロック図を例示する。
【図３】図３は、マクロ・セル、フェムト・セル、およびピコ・セルを備える無線通信システムの概要図を例示する。
【図４】図４は、多元接続無線通信システムの概要図を例示する。
【図５】図５は、複数入力複数出力（ＭＩＭＯ）通信システムの概要図を例示する。
【図６】図６は、本開示の１つの態様にしたがうサブフレーム関連付けのブロック図を例示する。
【発明を実施するための形態】
【００１３】
時分割デュプレクス（ＴＤＤ）システムでは、ダウンリンク（ＤＬ）通信とアップリンク（ＵＬ）通信とは、同じ帯域幅を共有するが、異なるサブフレームを占有する。３ＧＰＰ  Ｒｅｌ−８では、アップリンク通信またはダウンリンク通信のいずれかに期間を割り当てるために、７つの異なるアップリンク／ダウンリンク構成がサポートされている。アップリンクよりもダウンリンクに対してより多くのサブフレームが割り当てられている場合、ユーザ機器（ＵＥ）アクノレッジメント／否定的アクノレッジメント（ＡＣＫ／ＮＡＣＫ）フィードバックに対して特別な処理が必要とされる。１つのアップリンク・サブフレームは、複数のダウンリンク・サブフレームをＡＣＫする必要がありうる。
【００１４】
Ｒｅｌ−８では、２つのＡＣＫ／ＮＡＣＫフィードバック・モード、具体的には、ＡＣＫ／ＮＡＣＫバンドリングおよびＡＣＫ／ＮＡＣＫ多重化がサポートされている。ＡＣＫ／ＮＡＣＫバンドリングでは、複数のダウンリンク・サブフレームがコードワード毎ベースで結合され、１つのアップリンク・サブフレームでアクノレッジされるだろう。このように、すべてのダウンリンク・サブフレームが正しく受信された場合、バンドルされたダウンリンク・サブフレームについて、ＡＣＫ信号が送信されるだろう。しかしながら、たとえ１つのダウンリンク・サブフレームでもアクノレッジされないのであれば、バンドルされたサブフレームについて、ＮＡＣＫ信号が送信されるだろう。ＡＣＫ／ＮＡＣＫ多重化では、おのおののダウンリンク・サブフレームが１つのＡＣＫ／ＮＡＣＫビットしか必要としなくなるように、おのおののダウンリンク・サブフレーム内で空間バンドリングが実行される。その後、複数のＡＣＫ／ＮＡＣＫビット（リリース８では最大４ビット）が、複数のダウンリンク・サブフレームをアクノレッジする１つのアップリンク・サブフレームで送信されうる。
【００１５】
３ＧＰＰ  リリース８  ＴＳ．３６．２１３では、ＴＤＤについて、ダウンリンク関連付けセット・インデクスＫ：｛ｋ０、ｋ１、…ｋＭ１｝（ＭはセットＫにおける要素の数として定義される）が指定され、テーブル１で以下に示される。  
【表１】
0005490909.tif 000002
【００１６】
上記テーブルは、ダウンリンク・サブフレーム・バンドリング・ウィンドウの例を示す。このテーブルは、あるダウンリンク・サブフレーム（単数または複数）のＡＣＫ／ＮＡＣＫフィードバックを扱うアップリンク・サブフレームを示す。例えば、アップリンク−ダウンリンク構成４では、アップリンク・サブフレーム２は、アップリンク・サブフレーム２よりも早期の｛１２、８、７、１１｝サブフレームであるダウンリンク・サブフレーム、すなわちダウンリンク・サブフレーム｛０、４、５、１｝についてのＡＣＫ／ＮＡＣＫフィードバックを取り扱う。アップリンク・サブフレーム３は、アップリンク・サブフレーム３よりも早期の｛６、５、４、７｝サブフレームであるダウンリンク・サブフレーム、すなわちダウンリンク・サブフレーム｛７、８、９、６｝についてのＡＣＫ／ＮＡＣＫフィードバックを取り扱う。アップリンク・ダウンリンク構成に依存して、１つのアップリンク・サブフレームが、１つまたは複数のダウンリンク・サブフレームのＡＣＫ／ＮＡＣＫフィードバックを担当しうる。ある状況では、１つのアップリンク・サブフレームが、極めて多くのダウンリンク・サブフレームのＡＣＫ／ＮＡＣＫフィードバックを担当するという状況を減らすために、アップリンク・サブフレーム担当間の分散さえもが望まれる。
【００１７】
現在、関連付けセットは、すべてのダウンリンク・サブフレームが、半永久的スケジューリング（ＳＰＳ）リリース・コマンドを有する物理ダウンリンク制御チャネル（ＰＤＣＣＨ）または物理ダウンリンク共有チャネル（ＰＤＳＣＨ）の何れかをＵＥへ送信しうるという仮定に基づいて構築される。
【００１８】
この仮定から問題が発生する。いくつかのシナリオでは、いくつかのダウンリンク・サブフレームは、ＡＣＫ／ＮＡＣＫフィードバックを必要としない。例えば、ＳＰＳリリースを示すＰＤＣＣＨまたはＰＤＳＣＨの何れかを含まないダウンリンク・サブフレームは、ＡＣＫ／ＮＡＣＫフィードバックを必要としない。これらのシナリオでは、ＵＥは、これらダウンリンク・サブフレームのためのＡＣＫ／ＮＡＣＫフィードバックを必要としない。このようなシナリオの例は、以下を含む。（ａ）ブランクのサブフレーム。（ｂ）ほぼブランクのサブフレーム。例えば、セル特有の基準信号（ＲＳ）のみが送信されるように、ここでは、限定されたダウンリンク信号が送信される。（ｃ）時分割多重（ｅＮＢ）分割。ここでは、イボルブド・ノードＢ（ｅＮＢ）が、あるダウンリンク・サブフレームにおいてＳＰＳリリースを示す物理ダウンリンク制御チャネル（ＰＤＣＣＨ）または物理ダウンリンク共有チャネル（ＰＤＳＣＨ）のみを送信する。（ｄ）ダウンリンク・パイロット・タイムスロット（ＤｗＰＴＳ）。これは、ｅＮＢがＰＤＳＣＨを送信せず、ＵＥがＤｗＰＴＳサブフレームでＳＰＳアクティブ・モードにはないサブフレーム構造を有する。（ｅ）マルチ・メディア・ブロードキャスト・オーバ・シングル周波数ネットワーク（ＭＢＳＦＮ）サブフレーム、および、ＭＢＳＦＮサブフレームでＳＰＳアクティブ・モードにはないＵＥ。
【００１９】
現在の仕様におけるダウンリンク関連付けセットでは、不必要なアップリンクＡＣＫ／ＮＡＣＫリソースが割り当てられ、不必要なＡＣＫ／ＮＡＣＫ空間バンドリングが、例えば上述したように、ＡＣＫ／ＮＡＣＫフィードバックを必要としないシナリオのために導入される。これは、不必要なオーバヘッドをもたらし、パフォーマンスの低下を招きうる。
【００２０】
実施形態の例は、ダウンリンク・サブフレーム（例えば、項目（ａ）乃至（ｅ）で上述したサブフレーム）を考慮しないことによってこれら問題に対処しうる。これは、ＡＣＫ／ＮＡＣＫフォードバック処理からのＡＣＫ／ＮＡＣＫフィードバックを必要としない。このようにして、ＵＥは、一定のダウンリンク・サブフレームを処理から取り除くこと、例えば、テーブル１に示すようなバンドリング・ウィンドウ・テーブルからダウンリンク・サブフレームを削除することによって、アップリンク・サブフレームによって取り扱われるＡＣＫ／ＮＡＣＫフィードバックを有するダウンリンク・サブフレーム数を低減しうる。
【００２１】
おのおののキャリアにおいて、ＬＴＥ−Ａのマルチ・キャリア構成の問題に対処するために、ＡＣＫ／ＮＡＣＫフィードバックを必要としないこれらサブフレームは、フィードバック関連付けセットにおいて考慮されない。さらに、または、これとは別に、ＡＣＫ／ＮＡＣＫフィードバックを必要としないキャリアは、サブフレーム毎ベースで、関連付けセットにおいて考慮されない。
【００２２】
さまざまな態様が、図面を参照して記載される。以下の記載では、説明の目的のために、１または複数の態様の完全な理解を提供するために、多くの具体的な詳細が述べられる。しかしながら、これらさまざまな態様は、これら特定の詳細無しで実現されうることが明白である。他の事例では、これら態様の記載を容易にするために、周知の構成およびデバイスが、ブロック図形式で示される。
【００２３】
図１では、無線通信システム１００において、例えばイボルブド・ベース・ノード（ｅＮＢ）（イボルブド・ノードＢとも称される）のような装置は、第３世代（３Ｇ）または、例えばＬＴＥまたはＬＴＥ−Ａのような第４世代（４Ｇ）展開において、複数のダウンリンク・サブフレームのためアップリンク・サブフレームでアップリンク・アクノレッジメントを提供する必要性に対処する。この目的のために、ｅＮＢ１０２は、例えばユーザ機器（ＵＥ）１１０のような他の装置へ、ダウンリンク１０８で、第１の数のダウンリンク・サブフレーム１０６を送信する送信機１０４を有する。ｅＮＢ受信機１１２は、アップリンク１１５で、ＵＥ１１０からアップリンク・サブフレーム１１４を受信する。この受信機１１２は、アップリンク・サブフレーム１１４で、ＵＥ１１０からアクノレッジメント信号または否定的アクノレッジメント信号（ＡＣＫ／ＮＡＣＫ）１１６をも受信しうる。コンピューティング・プラットフォーム１１８は、ＡＣＫ／ＮＡＣＫフィードバックを必要としない１または複数のダウンリンク・サブフレーム１０６を考慮しない、ダウンリンク関連付けマッピング１２０にアクセスする。コンピューティング・プラットフォーム１１８は、ダウンリンク関連付けマッピング１２０に基づいて、ＡＣＫ／ＮＡＣＫ１１６を、ダウンリンク・サブフレーム１０６のうちの１または複数に関連付ける。
【００２４】
同様に、ＵＥ１１０は、無線通信システム１００における複数のダウンリンク・サブフレームのために、アップリンク・サブフレームにおいてアップリンク・アクノレッジメントを関連付ける。ＵＥ受信機１２２は、ｅＮＢ１０２から、第１の数のダウンリンク・サブフレーム１０６を受信する。コンピューティング・プラットフォーム１２４は、ＡＣＫ／ＮＡＣＫフィードバックを必要としない１または複数のダウンリンク・サブフレームを考慮しないダウンリンク関連付けマッピング１２６にアクセスする。コンピューティング・プラットフォーム１２４は、ダウンリンク関連付けマッピング１２６に基づいて、ダウンリンク・サブフレーム１０６のうちの１または複数から生じるＡＣＫ／ＮＡＣＫ１１６を、アップリンク・サブフレーム１１４に割り当てる。ＵＥ送信機１２８は、アップリンク・サブフレーム１１４におけるＡＣＫ／ＮＡＣＫ１１６を含むアップリンク・サブフレーム１１４を送信する。
【００２５】
図２は、ｅＮＢ２０２およびＵＥ２０４によって実行される動作の方法またはシーケンスを例示する。時間２０６に示すように、ｅＮＢ２０２は、ＵＥ２０４によって受信される第１の数のダウンリンク・サブフレームを送信する。ＵＥ２０４は、ＡＣＫ／ＮＡＣＫフィードバックを必要としない１または複数のダウンリンク・サブフレームを考慮しないダウンリンク関連付けマッピングにアクセスする（ブロック２０８）。
【００２６】
典型的な態様では、考慮されないダウンリンク・サブフレームは、以下を含む。（ａ）ブランクのサブフレーム。（ｂ）セル特有の基準信号（ＲＳ）のみを送信するほぼブランクのサブフレーム。（ｃ）ＴＤＭ分割構成におけるサブフレーム。ここでは、あるダウンリンク・サブフレームにおいてＳＰＳリリースを示すＰＤＣＣＨまたはＰＤＳＣＨが送信される。（ｄ）ＤｗＰＴＳ。これは、ＰＤＳＣＨが送信されず、ユーザ機器がＤｗＰＴＳサブフレームでＳＰＳアクティブ・モードにはないサブフレーム構造を有する。（ｅ）ＭＢＳＦＮサブフレーム。ＵＥは、ＭＢＳＦＮサブフレームでＳＰＳアクティブ・モードにはない。
【００２７】
ＵＥ２０４は、ダウンリンク関連付けマッピングに基づいて、多くのダウンリンク・サブフレームから生じるＡＣＫ／ＮＡＣＫを、アップリンク・サブフレームに割り当てる（ブロック２１０）。時間２１２では、ＡＣＫ／ＮＡＣＫを含むアップリンク・サブフレームを、ＵＥ２０４が送信し、ｅＮＢ２０２が受信する。
【００２８】
ｅＮＢ２０２は、アップリンク・サブフレームでＵＥ２０４からＡＣＫ／ＮＡＣＫを受信する（ブロック２１４）。ｅＮＢ２０２は、ＡＣＫ／ＮＡＣＫフィードバックを必要としない１または複数のダウンリンク・サブフレームを考慮しないダウンリンク関連付けマッピングにアクセスする（ブロック２１６）。ｅＮＢ２０２は、このダウンリンク関連付けマッピングに基づいて、多くのダウンリンク・サブフレームにＡＣＫ／ＮＡＣＫを関連付ける（ブロック２１８）。
【００２９】
図２Ａは、１つの態様にしたがう通信システムのブロック図を例示する。図２Ａの例示では、ｅＮＢがＵＥ１１０へＤＬサブフレームＡ、Ｂ、Ｃを送信する（ブロック２２０）が、サブフレームＡ、Ｂのみが適切に受信される（ブロック２２２）。現在のリリース８動作の下では、この構成は、ＵＥに対して、対応するＤＬサブフレームのアクノレッジメントのために指定されたＵＬサブフレームでＮＡＣＫメッセージを送信するように要求するだろう。しかしながら、本開示の態様では、例えばブランクのサブフレームのようなサブフレームＣが、考慮されないサブフレーム・タイプであれば、サブフレームＣを適切に受信することに失敗することによって、残りのサブフレームのアクノレッジメントに悪影響を及ぼすことはないであろう。この態様では、図２Ａのブロック２２４に示すように、ＵＥは、受信したＤＬサブフレームについてのＡＣＫを、指定されたＵＬサブフレームで送信するであろう。
【００３０】
１つの態様では、多くのダウンリンク・サブフレームおよびアップリンク・サブフレームのうちの少なくとも１つが、複数のキャリアに関連付けられる。
【００３１】
いくつかの態様では、本明細書に記載された技術は、マクロ・スケールの有効通信範囲（例えば、マクロ・セル・ネットワークと称される３Ｇ（第３世代）ネットワークのような大規模なセルラ・ネットワーク）、および、より小規模な有効通信範囲（例えば、住宅ベースまたはビルディング・ベースのネットワーク環境）を含むネットワーク内に適用されうる。（ＵＥとも称される）アクセス端末（“ＡＴ”）は、このようなネットワーク内を移動すると、ある場所においては、マクロ有効通信範囲を提供するアクセス・ノード（“ＡＮ”）（マクロｅＮＢとも称される）によってサービス提供される一方、別の場所においては、より小規模な有効通信範囲を提供するアクセス・ノード（例えば、ピコｅＮＢまたはフェムトｅＮＢ）によってサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００３２】
マクロ・ノード、フェムト・ノードあるいはピコ・ノードに関連付けられたセルは、マクロ・セル、フェムト・セル、あるいはピコ・セルとそれぞれ称される。いくつかの実施では、おのおののセルがさらに、１または複数のセクタに関連付けられうる（例えば、分割されうる）。
【００３３】
さまざまなアプリケーションでは、マクロ・ノード、フェムト・ノード、あるいはピコ・ノードを称するために、その他の用語が使用されうる。例えば、マクロ・ノードは、アクセス・ノード、基地局、アクセス・ポイント、ｅノードＢ、マクロ・セル等として構成されうるか、または、称されうる。さらに、フェムト・ノードは、ホーム・ノードＢ、ホームｅノードＢ、アクセス・ポイント基地局、フェムト・セル等として構成されうるか、称されうる。
【００３４】
図３に示す例において、基地局３１０ａ、３１０ｂ、３１０ｃは、それぞれマクロ・セル３０２ａ、３０２ｂ、３０２ｃのためのマクロ基地局でありうる。基地局３１０ｘは、端末３２０ｘと通信するピコ・セル３０２ｘのためのピコ基地局でありうる。基地局３１０ｙは、端末３２０ｙと通信するフェムト・セル３０２ｙのためのフェムト基地局でありうる。単純化のために図３では図示されていないが、マクロ・セルは、端部においてオーバラップしうる。ピコ・セルおよびフェムト・セルは、（図３に示されるように）マクロ・セル内に位置しうるか、または、マクロ・セルおよび／またはその他のセルとオーバラップしうる。
【００３５】
無線ネットワーク３００はまた、例えば、端末３２０ｚと通信する中継局３１０ｚのような中継局を含みうる。中継局は、データおよび／またはその他の情報の送信を上流局から受信し、データおよび／またはその他の情報の送信を下流局へ送信する局である。上流局は、基地局、別の中継局、または端末でありうる。下流局は、端末、別の中継局、または基地局でありうる。中継局はまた、他の端末のための送信を中継する端末でもありうる。
【００３６】
ネットワーク・コントローラ３３０は、基地局のセットに接続しており、これら基地局に対して調整および制御を提供しうる。ネットワーク・コントローラ３３０は、単一のネットワーク・エンティティであるか、複数のネットワーク・エンティティの集合でありうる。ネットワーク・コントローラ３３０は、バックホールを介して基地局３１０と通信しうる。バックホール・ネットワーク通信３３４は、このような分散型アーキテクチャを用いる基地局３１０ａ−３１０ｃ間のポイント・トゥ・ポイント通信を容易にしうる。基地局３１０ａ−３１０ｃはまた、例えば、ダイレクトに、または、無線または有線のバックホールを介して非ダイレクトに、互いに通信しうる。
【００３７】
無線ネットワーク３００は、（図３に示されていない）マクロ基地局のみを含むホモジニアスなネットワークでありうる。無線ネットワーク３００はまた、例えば、マクロ基地局、ピコ基地局、ホーム基地局、中継局等のような異なるタイプの基地局を含むヘテロジニアスなネットワークでありうる。これら異なるタイプの基地局は、異なる送信電力レベル、異なる有効通信範囲エリア、および、無線ネットワーク３００内の干渉に対する異なるインパクトを有しうる。例えば、マクロ基地局は、高い送信電力レベル（例えば、２０ワット）を有する一方、ピコ基地局およびフェムト基地局は、低い送信電力レベル（例えば、９ワット）を有しうる。本明細書に記載された技術は、ホモジニアスなネットワークおよびヘテロジニアスなネットワークのために使用されうる。
【００３８】
端末３２０は、無線ネットワーク３００全体にわたって分布し、おのおのの端末は、据置式または移動式でありうる。端末は、アクセス端末（ＡＴ）、移動局（ＭＳ）、ユーザ機器（ＵＥ）、加入者ユニット、局等とも称されうる。端末は、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。端末は、ダウンリンクおよびアップリンクによって基地局と通信しうる。ダウンリンク（すなわち、順方向リンク）は、基地局から端末への通信リンクを称し、アップリンク（すなわち、逆方向リンク）は、端末から基地局への通信リンクを称する。
【００３９】
端末は、マクロ基地局、ピコ基地局、フェムト基地局、および／または、その他のタイプの基地局と通信可能でありうる。図３では、２つの矢印を持つ実線が、端末と、ダウンリンクおよび／またはアップリンクで端末にサービス提供するように指定された基地局であるサービス提供基地局との間の所望の送信を示す。２つの矢印を持つ破線は、端末と基地局との間の干渉送信を示す。干渉基地局とは、ダウンリンクで端末に対して干渉をもたらす、および／または、アップリンクで端末からの干渉を観察する基地局である。
【００４０】
無線ネットワーク３００は、同期動作または非同期動作を支援しうる。同期動作の場合、基地局は、同じフレーム・タイミングを有し、異なる基地局からの送信は、時間的に揃えられうる。非同期動作の場合、基地局は、異なるフレーム・タイミングを有し、異なる基地局からの送信は、時間的に揃わない。例えば全地球測位システム（ＧＰＳ）のような同期ソースにアクセスせず、屋内で展開されうるピコ基地局およびフェムト基地局の場合、非同期動作がより一般的でありうる。
【００４１】
１つの態様では、システム容量を向上するために、それぞれの基地局３１０ａ−３１０ｃに対応する有効通信範囲エリア３０２ａ、３０２ｂ、３０２ｃが、複数の小さなエリア（例えば、エリア３０４ａ、３０４ｂ、３０４ｃ）に分割されうる。これら小さなエリア３０４ａ、３０４ｂ、３０４ｃのおのおのは、ぞれぞれのベース・トランシーバ・サブシステム（図示しないＢＴＳ）によってサービス提供されうる。本明細書および当該技術分野で一般的に用いられているように、用語「セクタ」は、この用語が使用されるコンテキストに依存して、ＢＴＳおよび／またはその有効範囲エリアを称しうる。一例において、セル３０２ａ、３０２ｂ、３０２ｃ内のセクタ３０４ａ、３０４ｂ、３０４ｃは、基地局３１０において、（図示しない）アンテナのグループによって形成されうる。ここでは、アンテナのおのおののグループは、セル３０２ａ、３０２ｂ、３０２ｃの部分内の端末３２０との通信を担当する。例えば、セル３０２ａにサービス提供する基地局３１０は、セクタ３０４ａに対応する第１のアンテナ・グループと、セクタ３０４ｂに対応する第２のアンテナ・グループと、セクタ３０４ｃに対応する第３のアンテナ・グループとを有しうる。しかしながら、本明細書で開示されたさまざまな態様は、セクタ化されたセルおよび／またはセクタ化されていないセルを有するシステムにおいて使用されうることが認識されるべきである。さらに、任意の数のセクタ化されたセル、および／または、セクタ化されていないセルを有するすべての適切な無線通信ネットワークが、添付する特許請求の範囲のスコープ内に入ることが意図されていることが認識されるべきである。簡略のために、本明細書で使用される用語「基地局」は、セルにサービス提供する基地局のみならず、セクタにサービス提供する基地局をも称しうる。本明細書で使用されるように、分離されたリンク・シナリオにおけるダウンリンク・セクタは、近隣セクタであることが認識されるべきである。以下の記載は一般に、簡略のために、各端末が、１つのサービス提供アクセス・ポイントと通信しているシステムに関連しているが、端末は、任意の数のサービス提供アクセス・ポイントと通信しうることが認識されるべきである。
【００４２】
図４に示すように、１つの態様にしたがった多元接続無線通信システムが例示される。アクセス・ポイント（ＡＰ）４００は、１つのグループは４０４および４０６を含み、別のグループは４０８および４１０を含み、さらに別のグループは４１２および４１４を含む複数のアンテナ・グループを含む。図４では、おのおののアンテナ・グループについて２本のアンテナしか示されていない。しかしながら、おのおののアンテナ・グループについて、それより多いまたはそれより少ないアンテナが利用されうる。ユーザ機器（ＵＥ）４１６は、アンテナ４１２、４１４と通信している。ここで、アンテナ４１２、４１４は、順方向リンク４２０でＵＥ４１６に情報を送信し、逆方向リンク４１８でＵＥ４１６から情報を受信する。ＵＥ４２２は、アンテナ４０６、４０８と通信している。ここで、アンテナ４０６、４０８は、順方向リンク４２６でＵＥ４２２に情報を送信し、逆方向リンク４２４でＵＥ４２２から情報を受信する。周波数分割デュプレクス（ＦＤＤ）システムでは、通信リンク４１８、４２０、４２４、４２６は、通信のために異なる周波数を使用しうる。例えば、順方向リンク４２０は、逆方向リンク４１８によって使用されるものとは異なる周波数を使用しうる。
【００４３】
通信するように設計された領域および／またはアンテナのおのおののグループは、しばしば、アクセス・ポイントのセクタと称される。態様では、アンテナ・グループは各々、アクセス・ポイント４００によってカバーされた領域のセクタ内のユーザ機器に通信するように設計される。
【００４４】
順方向リンク４２０、４２６による通信では、アクセス・ポイント４００の送信アンテナは、他のＵＥ４１６、４２２の順方向リンクの信号対雑音比を改善するためにビームフォーミングを利用する。さらに、有効範囲領域にわたってランダムに散在するＵＥへ送信するためにビームフォーミングを用いるアクセス・ポイントは、ＵＥのすべてへと単一のアンテナによって送信するアクセス・ポイントよりも、近隣のセル内のＵＥに対して少ない干渉しかもたらさない。
【００４５】
アクセス・ポイントは、端末と通信するために使用された固定局であり、基地局、ノードＢ、あるいはその他のいくつかの用語で称されうる。ユーザ機器（ＵＥ）はまた、アクセス端末（ＡＴ）、無線通信デバイス、端末、またはその他のいくつかの用語でも称されうる。
【００４６】
本明細書における教示は、少なくとも１つの他のノードと通信するためにさまざまな構成要素を適用するノード（例えば、デバイス）へ組み込まれうる。図５は、ノード間の通信を容易にするために適用されうるいくつかのサンプル構成要素を図示する。特に、図５は、ＭＩＭＯシステム５００の無線デバイス５１０（例えば、ｅＮＢ）と無線デバイス５５０（例えば、ＵＥ）とを例示する。デバイス５１０では、多くのデータ・ストリームのトラフィック・データが、データ・ソース５１２から送信（“ＴＸ”）データ・プロセッサ５１４へ提供される。
【００４７】
いくつかの態様では、各データ・ストリームが、それぞれの送信アンテナを介して送信される。ＴＸデータ・プロセッサ５１４は、トラフィック・データ・ストリームをフォーマットし、このデータ・ストリームのために選択された特定の符号化スキームに基づいて符号化し、インタリーブして、符号化されたデータを提供する。
【００４８】
おのおののデータ・ストリームの符号化されたデータは、ＯＦＤＭ技術を用いてパイロット・データと多重化されうる。パイロット・データは、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ５３０によって実行される命令群によって決定される。データ・メモリ５３２は、デバイス５１０のプロセッサ５３０またはその他の構成要素によって使用されるプログラム・コード、データ、およびその他の情報を格納しうる。
【００４９】
すべてのデータ・ストリームの変調シンボルはその後、（例えば、ＯＦＤＭのために）変調シンボルを処理するＴＸ  ＭＩＭＯプロセッサ５２０に提供される。その後、ＴＸ  ＭＩＭＯプロセッサ５２０は、おのおのが送信機（ＴＭＴＲ）および受信機（ＲＣＶＲ）を有するＮＴ個のトランシーバ（“ＸＣＶＲ”）５２２ａ乃至５２２ｔへＮＴ個の変調シンボル・ストリームを提供する。いくつかの態様では、ＴＸ  ＭＩＭＯプロセッサ５２０は、データ・ストリームのシンボルへ、および、このシンボルの送信がなされるアンテナへビームフォーミング重みを適用する。
【００５０】
各トランシーバ５２２ａ−５２２ｔは、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。トランシーバ５２２ａ乃至５２２ｔからのＮＴ個の変調信号は、その後、ＮＴ個のアンテナ５２４ａ乃至５２４ｔからそれぞれ送信される。
【００５１】
デバイス５５０では、送信された変調信号が、ＮＲ個のアンテナ５５２ａ乃至５５２ｒによって受信され、各アンテナ５５２ａ−５５２ｒから受信された信号が、それぞれのトランシーバ（“ＸＣＶＲ”）５５４ａ乃至５５４ｒへ提供される。各トランシーバ５５４ａ−５５４ｒは、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００５２】
受信（“ＲＸ”）データ・プロセッサ５６０は、その後、ＮＲ個のトランシーバ５５４ａ−５５４ｒからＮＲ個のシンボル・ストリームを受信し、これら受信したＮＲ個のシンボル・ストリームを、特定の受信機処理技術に基づいて処理することにより、ＮＴ個の「検出された」シンボル・ストリームが提供される。ＲＸデータ・プロセッサ５６０は、その後、検出されたおのおののシンボル・ストリームを復調し、デインタリーブし、復号して、そのデータ・ストリームのためのトラフィック・データを復元する。ＲＸデータ・プロセッサ５６０による処理は、デバイス５１０におけるＴＸデータ・プロセッサ５１４およびＴＸ  ＭＩＭＯプロセッサ５２０によって実行されるものに対して相補的である。
【００５３】
プロセッサ５７０は、上述したように、利用可能などの技術を利用するのかを定期的に決定する。プロセッサ５７０は、行列インデクス部およびランク値部を備えた逆方向リンク・メッセージを規定する。データ・メモリ５７２は、デバイス５５０のプロセッサ５７０またはその他の構成要素によって使用されるプログラム・コード、データ、およびその他の情報を格納しうる。
【００５４】
逆方向リンク・メッセージは、通信リンクおよび／または受信されたデータ・ストリームに関するさまざまなタイプの情報を含みうる。その後、逆方向リンク・メッセージは、ＴＸデータ・プロセッサ５３８によって処理され、変調器５８０によって変調され、トランシーバ５５４ａ乃至５５４ｒによって調整され、デバイス５１０へ送り戻される。ＴＸデータ・プロセッサ５３８はまた、データ・ソース５３６から、多くのデータ・ストリームのトラフィック・データを受信する。
【００５５】
デバイス５１０では、デバイス５５０からの変調信号が、アンテナ５２４ａ−５２４ｔによって受信され、トランシーバ５２２ａ−５２２ｔによって調整され、復調器（ＤＥＭＯＤ）５４０によって復調され、ＲＸデータ・プロセッサ５４２によって処理されて、デバイス５５０によって送信された逆方向リンク・メッセージが抽出される。その後、プロセッサ５３０が、ビームフォーミング重みを決定するためにどのプリコーディング行列を使用するのかを決定し、抽出されたメッセージを処理する。
【００５６】
図５はまた、本明細書で教示されたような干渉制御動作を実行する１または複数の構成要素を含みうる通信構成要素を例示する。例えば、他のデバイス（例えば、デバイス５５０）と信号を送信／受信するために、干渉（“ＩＮＴＥＲ”）制御構成要素５９０が、デバイス５１０のプロセッサ５３０および／またはその他の構成要素と連携しうる。同様に、干渉制御構成要素５９２は、プロセッサ５７０、および／または、デバイス５５０のその他の構成要素と連携し、（例えば、デバイス５１０のような）他のデバイスとの間で信号を送信／受信する。おのおののデバイス５１０、５５０について、記述された構成要素のうちの１または複数の機能が、単一の構成要素によって提供されうることが認識されるべきである。例えば、単一の処理構成要素が、干渉制御構成要素５９０およびプロセッサ５３０の機能を提供し、単一の処理構成要素が、干渉制御構成要素５９２およびプロセッサ５７０の機能を提供しうる。
【００５７】
図６は、本開示の１つの態様にしたがってサブフレームを関連付けるためのシステム６００を例示する。このシステムは、ブロック６０２に示すように、アップリンク・サブフレームにおけるサブフレーム・アクノレッジメントを、複数のダウンリンク・サブフレームに関連付けるフィードバック関連付けを決定する。このシステムは、その後、ブロック６０４に示すように、複数のダウンリンク・サブフレームのうちの少なくとも１つのダウンリンク・サブフレームが、サブフレーム・アクノレッジメントに影響を与えることを阻止するようにフィードバック関連付けを修正する。
【００５８】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００５９】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバ上で実行中のアプリケーションと、サーバとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。
【００６０】
「典型的である」という単語は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。
【００６１】
さまざまな態様または特徴が、多くのデバイス、構成要素、モジュール等を含むシステムの観点から示されるだろう。さまざまなシステムが、追加の構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。本明細書に開示されたさまざまな態様は、タッチ・スクリーン・ディスプレイ技術および／またはマウス−キーボード・タイプのインタフェースを利用するデバイスを含む電子デバイス上で実行されうる。このようなデバイスの例は、コンピュータ（デスクトップおよびモバイル）、スマート・フォン、携帯情報端末（ＰＤＡ）、および有線および無線の両方のその他の電子デバイスを含む。
【００６２】
さらに、本明細書に開示された態様に関連して記載された例示的なさまざまな論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６３】
さらに、１または複数のバージョンは、開示された態様を実現するために、コンピュータを制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」（または、その代わりに、「コンピュータ・プログラム製品」）は、任意のコンピュータ読取可能なデバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック）を含みうる。さらに、電子メールの送信または受信の際、あるいは、例えばインターネットまたはローカル・エリア・ネットワーク（ＬＡＮ）のようなネットワークにアクセスする際に使用されるようなコンピュータ読取可能な電子データを搬送するために、搬送波が適用されうることが認識されるべきである。もちろん、当業者であれば、開示された態様のスコープから逸脱することなく多くの変形が、この構成とされうることを認識するだろう。
【００６４】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。
【００６５】
典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００６６】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の実施形態に適用されうる。このように、本開示は、本明細書で示された実施形態に限定されるものではなく、本明細書で開示された原理および新規な特徴に一致した最も広い範囲に相当することが意図されている。
【００６７】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される用語である製造物品は、任意のコンピュータ読取可能なデバイス、キャリア、または媒体からアクセスすることが可能なコンピュータ・プログラムを含むことが意図される。
【００６８】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
以下に、出願当初の特許請求の範囲に記載された発明を付記する。
［発明１］
無線通信システムにおいて、ダウンリンク・サブフレームとアップリンク・サブフレームとの関連付けを定義する方法であって、
アップリンク・サブフレーム内のサブフレーム・アクノレッジメントを、複数のダウンリンク・サブフレームに関連付けるフィードバック関連付けを決定することと、
前記複数のダウンリンク・サブフレームのうちの少なくとも１つのダウンリンク・サブフレームが、前記サブフレーム・アクノレッジメントに影響を与えることを阻止するように前記フィードバック関連付けを修正することと、
を備える方法。
［発明２］
前記サブフレーム・アクノレッジメントは、前記複数のダウンリンク・サブフレームが正しく受信されたかを示すバイナリ・アクノレッジメントを備える、発明１に記載の方法。
［発明３］
前記ダウンリンク・サブフレームを受信することと、
前記フィードバック関連付けに基づいて前記サブフレーム・アクノレッジメントを生成することと、
前記フィードバック関連付けに基づいて、前記アップリンク・サブフレームでアクノレッジメントを送信することと、
をさらに備える発明１に記載の方法。
［発明４］
前記フィードバック関連付けは、少なくとも１つのサブフレーム・タイプが、前記サブフレーム・アクノレッジメントに影響を与えることを阻止する、発明１に記載の方法。
［発明５］
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、発明１に記載の方法。
［発明６］
前記複数のダウンリンク・サブフレームは、異なるキャリアからのものである、発明１に記載の方法。
［発明７］
前記少なくとも１つのダウンリンク・サブフレームを示す信号を、対応するフィードバック無しでユーザ機器が受信する、発明１に記載の方法。
［発明８］
無線通信システムにおいて動作可能な装置であって、
アップリンク・サブフレーム内のサブフレーム・アクノレッジメントを、複数のダウンリンク・サブフレームに関連付けるフィードバック関連付けを決定する手段と、
前記複数のダウンリンク・サブフレームからの少なくとも１つのダウンリンク・サブフレームが、前記サブフレーム・アクノレッジメントに影響を与えることを阻止するように前記フィードバック関連付けを修正する手段と、
を備える装置。
［発明９］
前記サブフレーム・アクノレッジメントは、前記複数のダウンリンク・サブフレームが正しく受信されたかを示すバイナリ・アクノレッジメントである、発明８に記載の装置。
［発明１０］
前記ダウンリンク・サブフレームを受信する手段と、
前記フィードバック関連付けに基づいて前記サブフレーム・アクノレッジメントを生成する手段と、
前記フィードバック関連付けに基づいて、前記アップリンク・サブフレームでアクノレッジメントを送信する手段と、
をさらに備える発明８に記載の装置。
［発明１１］
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、発明８に記載の装置。
［発明１２］
前記少なくとも１つのダウンリンク・サブフレームを示す信号を、対応するフィードバック無しでユーザ機器が受信する、発明８に記載の装置。
［発明１３］
無線ネットワークにおける無線通信のためのコンピュータ・プログラム製品であって、
記録されたプログラム・コードを有するコンピュータ読取可能な媒体を備え、
前記プログラム・コードは、
アップリンク・サブフレーム内のサブフレーム・アクノレッジメントを、複数のダウンリンク・サブフレームに関連付けるフィードバック関連付けを決定するためのプログラム・コードと、
前記複数のダウンリンク・サブフレームのうちの少なくとも１つのダウンリンク・サブフレームが、前記サブフレーム・アクノレッジメントに影響を与えることを阻止するように前記フィードバック関連付けを修正するためのプログラム・コードと、
を備えるコンピュータ・プログラム製品。
［発明１４］
前記サブフレーム・アクノレッジメントは、前記複数のダウンリンク・サブフレームが正しく受信されたかを示すバイナリ・アクノレッジメントである、発明１３に記載のコンピュータ・プログラム製品。
［発明１５］
ダウンリンク・サブフレームを受信するためのプログラム・コードと、
前記フィードバック関連付けに基づいて前記サブフレーム・アクノレッジメントを生成するためのプログラム・コードと、
前記フィードバック関連付けに基づいて、前記アップリンク・サブフレームでアクノレッジメントを送信するためのプログラム・コードと、
をさらに備える発明１３に記載のコンピュータ・プログラム製品。
［発明１６］
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、発明１３に記載のコンピュータ・プログラム製品。
［発明１７］
前記複数のダウンリンク・サブフレームは、異なるキャリアからのものである、発明１３に記載のコンピュータ・プログラム製品。
［発明１８］
前記少なくとも１つのダウンリンク・サブフレームを示す信号を、対応するフィードバック無しでユーザ機器が受信する、発明１３に記載のコンピュータ・プログラム製品。
［発明１９］
無線通信システムにおいて動作可能な装置であって、
少なくとも１つのプロセッサと、前記少なくとも１つのプロセッサに接続されたメモリとを備え、
前記少なくとも１つのプロセッサは、
アップリンク・サブフレーム内のサブフレーム・アクノレッジメントを、複数のダウンリンク・サブフレームに関連付けるフィードバック関連付けを決定し、
前記複数のダウンリンク・サブフレームからの少なくとも１つのダウンリンク・サブフレームが、前記サブフレーム・アクノレッジメントに影響を与えることを阻止するように前記フィードバック関連付けを修正する
ように構成された、装置。
［発明２０］
前記サブフレーム・アクノレッジメントは、前記複数のダウンリンク・サブフレームが正しく受信されたかを示すバイナリ・アクノレッジメントである、発明１９に記載の装置。
［発明２１］
前記少なくとも１つのプロセッサはさらに、ダウンリンク・サブフレームを受信し、前記フィードバック関連付けに基づいて前記サブフレーム・アクノレッジメントを生成し、前記フィードバック関連付けに基づいて、前記アップリンク・サブフレームでアクノレッジメントを送信するように構成された、発明１９に記載の装置。
［発明２２］
前記フィードバック関連付けは、少なくとも１つのサブフレーム・タイプが、前記サブフレーム・アクノレッジメントに影響を与えることを阻止する、発明１９に記載の装置。
［発明２３］
前記少なくとも１つのダウンリンク・サブフレームは、
ブランクのサブフレーム、
セル特有の基準信号（ＲＳ）のみを送信するほぼブランクのサブフレーム、
半永久的スケジューリング（ＳＰＳ）リリースを示す物理ダウンリンク制御チャネル（ＰＤＣＣＨ）および物理ダウンリンク共有チャネル（ＰＤＳＣＨ）のうちの１つを、時分割多重（ＴＤＭ）分割で送信しないように構成されたサブフレーム、
前記ＰＤＳＣＨが送信されず、ユーザ機器（ＵＥ）がダウンリンク・パイロット・タイムスロット（ＤｗＰＴＳ）サブフレームにおいてＳＰＳアクティブ・モードにはないサブフレーム構造を有するＤｗＰＴＳにおけるサブフレーム、
マルチ・メディア・ブロードキャスト・オーバ・シングル周波数ネットワーク（ＭＢＳＦＮ）サブフレームであって、前記ＭＢＳＦＮサブフレームにおいて前記ＵＥはＳＰＳアクティブ・モードではない、
のうちの１つを備える、発明１９に記載の装置。
［発明２４］
前記複数のダウンリンク・サブフレームは、異なるキャリアからのものである、発明１９に記載の装置。
［発明２５］
前記少なくとも１つのダウンリンク・サブフレームを示す信号を、対応するフィードバック無しでユーザ機器が受信する、発明１９に記載の装置。
【図１】
0005490909.tif 000003
【図２】
0005490909.tif 000004
【図２Ａ】
0005490909.tif 000005
【図３】
0005490909.tif 000006
【図４】
0005490909.tif 000007
【図５】
0005490909.tif 000008
【図６】
0005490909.tif 000009